(57)【要約】【課題】使用時においてトイレットペーパーのロールに触れることなく、トイレットペーパーを引き出すことが可能であり、トイレットペーパーを容易に装着できるトイレットペーパー引出機を提供する。【解決手段】トイレットペーパー引出機１は、円筒形状に形成され、カバー部１２が本体１１に対して閉じた状態では、互いの外周面が接するように配置され、互いの外周面の間にトイレットペーパーＰが配置され、カバー部１２が本体１１に対して開いた状態では、互いの外周面が離間する第１ローラ２１及び第２ローラ２２と、本体１１に固定され、第１ローラ２１を支持し、第１ローラ２１を回転させる駆動部２３と、を有し、カバー部１２には、ロールＲを、回転自在に支持するロール支持部２４と、第２ローラ２２を、回転自在に支持する第２ローラ支持部２５と、が設けられている。【選択図】図２
0003231572.tif 000002
【実用新案登録請求の範囲】
【請求項１】
トイレットペーパーが筒形状の芯部材に巻き回されたロールを収容し、前記ロールから前記トイレットペーパーを引き出すトイレットペーパー引出機であって、
前記ロールを収容する収容部と、
前記収容部の内部に配置され、前記トイレットペーパーを引き出す引出機構と、を備え、
前記収容部は、本体と、前記本体に対して開閉可能なカバー部と、を有し、
前記引出機構は、
円筒形状に形成され、前記カバー部が前記本体に対して閉じた状態では、互いの外周面が接するように配置され、互いの外周面の間に前記トイレットペーパーが配置され、前記カバー部が前記本体に対して開いた状態では、互いの外周面が離間する第１ローラ及び第２ローラと、
前記本体に固定され、前記第１ローラを支持し、前記第１ローラを回転させる駆動部と、を有し、
前記カバー部には、
前記ロールを、回転自在に支持するロール支持部と、
前記第２ローラを、回転自在に支持する第２ローラ支持部と、が設けられていることを特徴とするトイレットペーパー引出機。
【請求項２】
前記ロールが配置された状態で、前記ロールの下方に、前後方向に挿通するトイレットペーパー取出口が形成され、
前記トイレットペーパー取出口の上縁に、前記トイレットペーパーを切断する切断部を設け、
前記トイレットペーパー取出口の下方には、前記収容部の前面から、前後方向に延び、上下方向に貫通する溝が形成されているトイレットペーパー受け部を設けたことを特徴とする請求項１に記載のトイレットペーパー引出機。
【考案の詳細な説明】
【技術分野】
【０００１】
本考案は、トイレットペーパーが筒形状の芯部材に巻き回されたロールを収容し、前記ロールから前記トイレットペーパーを引き出すトイレットペーパー引出機に関する。
【背景技術】
【０００２】
従来、トイレットペーパーホルダーは、トイレットペーパーを切った時に、トイレットペーパーの切断した端部が、ロールに巻き付いていて、次に使用する時に、この端部を探すのにロールを回転させたりして手間がかかっていた。
【０００３】
また、近年、Ｃｏｖｉｄ  １９(以下、「新型コロナウィルス」と称する。)の感染拡大により、例えば、感染者が、回転させるためにロールに触った場合、このロールを介して、次の使用者に、新型コロナウィルスが移ってしまう可能性もある。
【０００４】
例えば、特許文献１には、ケ─ス内の上辺にロ─ル状に巻いたペ─パ─を装填する遊転杆を取外自在に横架すると共に同遊転杆の下方にペ─パ─を繰り出す電動車と摩擦車を装備し、更にケ─スに於ける同電動車の下方にペ─パ─の繰出口を、また同繰出口の外辺開口縁にペ─パ─のカット用切断刃を夫々設けて成る自動ペ─パ─供給器が提案されている。
【先行技術文献】
【特許文献】
【０００５】
【特許文献１】実開昭５２−５８４２号公報
【考案の概要】
【考案が解決しようとする課題】
【０００６】
しかしながら、特許文献１の自動ペ─パ─供給器は、トイレットペーパーのロールを、装着する場合に、トイレットペーパーの端部を、電動車と摩擦車との間に通す必要があり、トイレットペーパーの装着に手間がかかっていた。
【０００７】
本考案は、上記の点に鑑みてなされたものであり、使用時においてトイレットペーパーのロールに触れることなく、トイレットペーパーを引き出すことが可能であり、トイレットペーパーを容易に装着できるトイレットペーパー引出機を提供することを目的とする。
【課題を解決するための手段】
【０００８】
（１）  トイレットペーパーが筒形状の芯部材に巻き回されたロールを収容し、前記ロールから前記トイレットペーパーを引き出すトイレットペーパー引出機であって、
前記ロールを収容する収容部と、
前記収容部の内部に配置され、前記トイレットペーパーを引き出す引出機構と、を備え、
前記収容部は、本体と、前記本体に対して開閉可能なカバー部と、を有し、
前記引出機構は、
円筒形状に形成され、前記カバー部が前記本体に対して閉じた状態では、互いの外周面が接するように配置され、互いの外周面の間に前記トイレットペーパーが配置され、前記カバー部が前記本体に対して開いた状態では、互いの外周面が離間する第１ローラ及び第２ローラと、
前記本体に固定され、前記第１ローラを支持し、前記第１ローラを回転させる駆動部と、を有し、
前記カバー部には、
前記ロールを、回転自在に支持するロール支持部と、
前記第２ローラを、回転自在に支持する第２ローラ支持部と、が設けられていることを特徴とするトイレットペーパー引出機。
【０００９】
（１）の考案では、トイレットペーパー引出機は、収容部と、引出機構と、を備え、トイレットペーパーが筒形状の芯部材に巻き回されたロールを収容し、ロールからトイレットペーパーを引き出す。
収容部は、ロールを収容する。
引出機構は、収容部の内部に配置され、トイレットペーパーを引き出す。
また、収容部は、本体と、本体に対して開閉可能なカバー部と、を有する。
そして、引出機構は、第１ローラ及び第２ローラと、駆動部と、を有する。
第１ローラ及び第２ローラは、円筒形状に形成され、カバー部が本体に対して閉じた状態では、互いの外周面が接するように配置され、互いの外周面の間にトイレットペーパーが配置され、カバー部が本体に対して開いた状態では、互いの外周面が離間する。
駆動部は、本体に固定され、第１ローラを支持し、第１ローラを回転させる。
カバー部には、ロール支持部と、第２ローラ支持部と、が設けられている。
ロール支持部は、ロールを、回転自在に支持する。
第２ローラ支持部は、第２ローラを、回転自在に支持する。
【００１０】
（１）の考案によれば、使用時には、例えば、使用者の操作に基づき、駆動部が第１ローラを回転させ、第１ローラ及び第２ローラの間に配置されたトイレットペーパーを引き出す。そして、トイレットペーパーを、装着する時には、カバー部が本体に対して開いた状態にし、ロール支持部に、ロールを配置し、トイレットペーパーを第２ローラの外周面に接する位置まで引き出し、この状態で、カバー部を本体に対して閉じた状態とする。
【００１１】
これにより、トイレットペーパーの装着時において、特許文献１の自動ペ─パ─供給器のように、２つのローラの間に、トイレットペーパーの端部を通すという手間のかかる手順を踏むことなく、一方のローラの外周面に接する位置まで、トイレットペーパーを引き出し、カバー部を本体に対して閉じた状態とするだけで、トイレットペーパーが、２つのローラの間に配置される。
したがって、使用時においてトイレットペーパーのロールに触れることなく、トイレットペーパーを引き出すことが可能であり、トイレットペーパーを容易に装着できるトイレットペーパー引出機を提供できる。
【００１２】
（２）  前記ロールが配置された状態で、前記ロールの下方に、前後方向に挿通するトイレットペーパー取出口が形成され、
前記トイレットペーパー取出口の上縁に、前記トイレットペーパーを切断する切断部を設け、
前記トイレットペーパー取出口の下方には、前記収容部の前面から、前後方向に延び、上下方向に貫通する溝が形成されているトイレットペーパー受け部を設けたことを特徴とする（１）に記載のトイレットペーパー引出機。
【００１３】
（２）の考案では、ロールが配置された状態で、ロールの下方に、前後方向に挿通するトイレットペーパー取出口を形成し、このトイレットペーパー取出口の下方に、収容部の前面から、前後方向に延び、上下方向に貫通する溝が形成されているトイレットペーパー受け部を設けた。
【００１４】
（２）の考案によれば、トイレットペーパーを引き出した後に、引き出したトイレットペーパーを取り出す場合、トイレットペーパー受け部の溝の下方から手を挿入し、引き出したトイレットペーパーを下方から掴み、トイレットペーパー取出口から取り出し、切断部でトイレットペーパーを切断することで、ロールから、所望の量のトイレットペーパーを取り出すことができる。
【００１５】
これにより、ローラから引き出したトイレットペーパーを、下方から抄くって、引き上げるだけで、所望の量のトイレットペーパーを取り出すことができるので、トイレットペーパーの取り出しが、スムーズな動作で可能となる。
【考案の効果】
【００１６】
本考案によれば、使用時においてトイレットペーパーのロールに触れることなく、トイレットペーパーを引き出すことが可能であり、トイレットペーパーを容易に装着できるトイレットペーパー引出機を提供できる。
【図面の簡単な説明】
【００１７】
【図１】本考案の実施形態に係るトイレットペーパー引出機を正面から視た図である。
【図２】本考案の実施形態に係るトイレットペーパー引出機の内部を側面から視た図である。
【図３】本考案の実施形態に係るトイレットペーパー引出機の動作を説明する図である。
【図４】本考案の実施形態に係るトイレットペーパー引出機の使用方法を説明する図である。
【考案を実施するための形態】
【００１８】
以下、添付図面を参照して、本考案を実施するための形態（以下、実施形態）について詳細に説明する。以降の図においては、実施形態の説明の全体を通して同じ要素には同じ番号または符号を付している。
【００１９】
図１は、本考案の実施形態に係るトイレットペーパー引出機を正面から視た図である。
図２は、本考案の実施形態に係るトイレットペーパー引出機の内部を側面から視た図である。図２は、トイレットペーパー引出機１の内部を示すため、左側板１１ａの記載を省略している。
【００２０】
トイレットペーパー引出機１は、収容部１０と、引出機構２０と、を備え、トイレットペーパーＰが筒形状の芯部材に巻き回されたロールＲを収容し、ロールＲからトイレットペーパーＰを引き出す装置である。
【００２１】
収容部１０は、ロールＲを収容し、本体１１と、本体１１に対して開閉可能なカバー部１２と、を有する。
収容部１０は、全体として、前面及び下面が開放された箱形状に形成され、本体１１を構成する左側板１１ａ、後面を形成する背板１１ｂ及び天面を形成する天板１１ｃと、カバー部１２を構成する右側板１２ａと、を備える。
【００２２】
図３は、本考案の実施形態に係るトイレットペーパー引出機の動作を説明する図である。図３は、カバー部１２が本体１１に対して開いた状態を上から視た図であり、トイレットペーパー引出機１の内部を示すため、本体１１の天板１１ｃの記載を省略している。
【００２３】
カバー部１２は、右側板１２ａの後端が、本体１１の背板１１ｂの右側縁と、例えば、蝶番等により、回動自在に接続されている。
【００２４】
図１に戻って、本体１１には、下端側（ロールＲが配置された状態で、ロールＲの下方であって、後述するトイレットペーパー取出口１０ａの下方）に、トイレットペーパー受け部１１０が設けられている。
トイレットペーパー受け部１１０は、上方が開放された箱形状に形成され、底面が、左側板１１ａ及び右側板１２ａにスライド自在に支持され、前後方向に移動可能となっている。また、トイレットペーパー受け部１１０は、収容部１０の前面から、前後方向に延び、上下方向に貫通する溝１１０ａが形成されている。溝１１０ａは、トイレットペーパー受け部１１０の前板及び底板に形成されている。
【００２５】
カバー部１２には、板形状に形成され、収容部１０の前面に配置され、右側縁が、右側板１２ａの前端に固定されている前面カバー１２０が設けられている。
【００２６】
前面カバー１２０は、右側板１２ａから左側板１１ａまで延び、左側縁が、左側板１１ａの前端に着脱自在に固定される。また、前面カバー１２０は、下側縁が、トイレットペーパー受け部１１０の上端から、所定距離（人の手が挿入可能な距離）離れた位置に配置されている。前面カバー１２０の上側縁は、後述するロール支持部２４より下方に配置されている。また、前面カバー１２０の下側縁（後述するトイレットペーパー取出口１０ａの上縁）には、トイレットペーパーＰを切断する切断部１２１が設けられている。
【００２７】
トイレットペーパー引出機１は、カバー部１２が本体１１に対して閉じた状態において、前面カバー１２０の下側縁と、トイレットペーパー受け部１１０の上端との間に、使用者が手を挿入して、トイレットペーパーＰを引き出すためのトイレットペーパー取出口１０ａが形成される。また、トイレットペーパー引出機１は、カバー部１２が本体１１に対して閉じた状態において、前面カバー１２０の上側縁と、天板１１ｃの下端との間に、使用者が、ロールＲのトイレットペーパーＰの残量を確認可能な窓部１０ｂが形成される。
【００２８】
図２及び図３に示すように、引出機構２０は、収容部１０の内部に配置され、トイレットペーパーＰを、ロールＲから引き出す。引出機構２０は、本体１１に設けられた第１ローラ２１、第２ローラ２２及び駆動部２３と、カバー部１２に設けられたロール支持部２４及び第２ローラ支持部２５と、を備える。
【００２９】
第１ローラ２１は、トイレットペーパー引出機１の上方方向の略中央において、左右方向に延びる円筒形状に形成された円筒部２１ａが、駆動部２３を挟んで、２つ配置され、２つ円筒部２１ａが、左右方向に延びる軸部材である第１ローラ回転軸２１ｂに接続されている。円筒部２１ａは、外表面がゴム等のトイレットペーパーＰが滑り難い素材で形成されている。第１ローラ回転軸２１ｂは、駆動部２３に回転自在に支持されている。
【００３０】
第２ローラ２２は、カバー部１２が本体１１に対して閉じた状態において、第１ローラ２１と対面する位置において、左右方向に延びる中空の円筒形状に形成されている。第２ローラ２２は、外表面がゴム等のトイレットペーパーＰが滑り難い素材で形成されている。第２ローラ２２は、第２ローラ支持部２５に挿通されている。
【００３１】
図２に示すように、カバー部１２が本体１１に対して閉じた状態において、第２ローラ２２の外表面は、第１ローラ２１の円筒部２１ａの外表面に接する。一方、図３に示すように、カバー部１２が本体１１に対して開いた状態において、第２ローラ２２の外表面は、第１ローラ２１の円筒部２１ａの外表面から離間する。
【００３２】
第１ローラ２１の円筒部２１ａと第２ローラ２２とは、カバー部１２が本体１１に対して閉じた状態において、互いの外周面の間にトイレットペーパーＰが配置される。
【００３３】
駆動部２３は、弾性部材２０ａを介して、本体１１の背板１１ｂに取り付けられている。弾性部材２０ａは、弾性変形可能な板状体であり、上下方向に延び、上端側が背板１１ｂに固定され、背板１１ｂから離間しながら下方に延び、下端が自由端となっている。
【００３４】
第１ローラ２１及び第１ローラ２１の第１ローラ回転軸２１ｂを回転可能に支持する駆動部２３は、カバー部１２が本体１１に対して開いた状態における位置から、閉じた状態となると、第２ローラ２２に押圧され、弾性部材２０ａの弾性力に抗い、後方に移動する。すなわち、弾性部材２０ａは、カバー部１２が本体１１に対して閉じた状態において、第１ローラ２１を、第２ローラ２２側に付勢する。これにより、第１ローラ２１と第２ローラ２２の当接面に負荷をかけ、トイレットペーパーＰを挟み、駆動部２３の回転する力をトイレットペーパーＰの引き出しに程よく伝わるようにすることが可能となる。
【００３５】
駆動部２３は、電池等の電源供給部と、電源供給部から供給され電気により駆動するモータと、モータの駆動力を第１ローラ回転軸２１ｂに伝達するギヤ部と、使用者の操作によりモータの駆動をオン・オフする操作部と、を備える。このような構成により、駆動部２３は、使用者の操作に基づき、駆動し、第１ローラ回転軸２１ｂを、第１ローラ回転軸２１ｂが延びる方向を中心軸として、回転させる。
【００３６】
ロール支持部２４は、カバー部１２が本体１１に対して閉じた状態において、左右方向に延びる軸部材であり、右端のみが、カバー部１２の右側板１２ａの内面に片持ち支持されている。ロール支持部２４は、第１ローラ２１及び第２ローラ２２より、高い位置（少なくても、未使用のロールＲの半径より大きい寸法離れた位置）に配置されている。ロール支持部２４は、ロールＲの内部（中空筒形状の芯Ｒ１の内部）に挿通され、ロールＲを回転自在に支持する。
【００３７】
図３に示すように、カバー部１２を本体１１に対して、略９０°回動させた状態では、ロール支持部２４は、前後方向に延びる状態となる。これにより、使用者は、前方から、ロール支持部２４に、ロールＲの芯Ｒ１を差し込むことができる。
【００３８】
第２ローラ支持部２５は、カバー部１２が本体１１に対して閉じた状態において、左右方向に延びる軸部材であり、右端のみが、カバー部１２の右側板１２ａの内面に片持ち支持されている。ロール支持部２４は、第２ローラ２２の内部に挿通され、第２ローラ２２を回転自在に支持する。
【００３９】
図３に示すように、カバー部１２が本体１１に対して開いた状態では、第２ローラ支持部２５は、ロール支持部２４と同一方向に延びつつ、第２ローラ２２を伴い、第１ローラ２１から離間する。
【００４０】
次に、トイレットペーパー引出機１の使用方法について説明する。
図４は、本考案の実施形態に係るトイレットペーパー引出機の使用方法を説明する図である。
【００４１】
まず、トイレットペーパー引出機１に未使用のロールＲを、装着する時には、図３に示すように、カバー部１２が本体１１に対して開いた状態にし、ロール支持部２４に、ロールＲを配置し、トイレットペーパーＰを第２ローラ２２の外周面に接する位置まで引き出し、この状態で、カバー部１２を本体１１に対して閉じた状態とする。
【００４２】
次に、図４に示すように、トイレットペーパーＰを引き出す場合には、使用者は、操作部を操作し、引出機構２０により、第１ローラ２１を回転させ、第１ローラ２１及び第２ローラ２２の間に配置されたトイレットペーパーＰを引き出す。
【００４３】
そして、使用者は、トイレットペーパーＰを引き出した後に、引き出したトイレットペーパーＰを取り出す場合、トイレットペーパー受け部１１０の溝１１０ａの下方から手を挿入し、引き出したトイレットペーパーＰを下方から掴み、トイレットペーパー取出口１０ａから取り出し、切断部１２１でトイレットペーパーＰを切断することで、ロールＲから、所望の量のトイレットペーパーＰを取り出すことができる。また、この時、使用者は、トイレットペーパー受け部１１０を、前方に引き出してから、引き出したトイレットペーパーＰを下方から掴かむことで、より容易にトイレットペーパーＰを取り出すことができる。
【００４４】
以上、実施形態を用いて本考案を説明したが、本考案の技術的範囲は上記実施形態に記載の範囲には限定されないことは言うまでもない。上記実施形態に、多様な変更または改良を加えることが可能であることが当業者に明らかである。また、そのような変更または改良を加えた形態も本考案の技術的範囲に含まれ得ることが、実用新案登録請求の範囲の記載から明らかである。
【符号の説明】
【００４５】
１  トイレットペーパー引出機
１０  収容部
１０ａ  トイレットペーパー取出口
１０ｂ  窓部
１１  本体
１１ａ  左側板
１１ｂ  背板
１１ｃ  天板
１２  カバー部
１２ａ  右側板
２０  引出機構
２０ａ  弾性部材
２１  第１ローラ
２１ａ  円筒部
２１ｂ  第１ローラ回転軸
２２  第２ローラ
２３  駆動部
２４  ロール支持部
２５  第２ローラ支持部
１１０  トイレットペーパー受け部
１１０ａ  溝
１２０  前面カバー
１２１  切断部
Ｐ  トイレットペーパー
Ｒ  ロール
Ｒ１  芯
【図１】
0003231572.tif 000003
【図２】
0003231572.tif 000004
【図３】
0003231572.tif 000005
【図４】
0003231572.tif 000006